(57)【要約】【課題】  解決しようとする課題は点光源を用いて、小型で輝度ムラのない照明装置を実現することである。【解決手段】  略直方体形状の導光板の相対する２側面に点光源を配置し、かつ導光板には各々の側面から導光板に入射した光の進行方向を変化させるグルーブを設けた。また、前記グルーブはマイクロプリズムであり、該マイクロプリズムの前記点光源に面する長辺を前記２側面に設けられた点光源側にそれぞれ配置した。さらに、前記点光源側に配置されたマイクロプリズムの長辺同士を前記導光板の略中央部で接するように構成した。 【選択図】        図１
2007042403.tif 000002
【特許請求の範囲】
【請求項１】
略直方体形状の導光板の相対する２側面に点光源を配置し、かつ導光板には各々の側面から導光板に入射した光の進行方向を変化させるグルーブを設けていることを特徴とする照明装置。
【請求項２】
前記導光板の上面は略長方形であり、前記点光源を該導光板の長辺側に配置したことを特徴とする請求項１に記載の照明装置。
【請求項３】
前記点光源は発光ダイオードであることを特徴とする請求項１に記載の照明装置。
【請求項４】
前記点光源を前記導光板の２側面に計Ｎ個配置し、前記導光板を該２側面に垂直な線で略Ｎ等分し、前記点光源を該等分された領域の前記辺の略中心位置に配置したことを特徴とする請求項１に記載の照明装置。
【請求項５】
前記点光源を前記２側面の前記略中心位置に交互に配置したことを特徴とする請求項４に記載の照明装置。
【請求項６】
前記グルーブはマイクロプリズムであり、該マイクロプリズムの前記点光源に面する長辺を前記２側面に設けられた点光源側にそれぞれ配置したことを特徴とする請求項１に記載の照明装置。
【請求項７】
前記点光源側に配置されたマイクロプリズムの長辺同士は前記導光板の略中央で接していることを特徴とする請求項６に記載の照明装置。
【請求項８】
前記照明装置はバックライト方式となっていることを特徴とする請求項１〜７のうち少なくとも一項に記載の照明装置。
【発明の詳細な説明】
【技術分野】
【０００１】
本発明は、液晶表示装置等の受光型表示装置のバックライトやフロントライトとして用いられる照明装置に関し、特に携帯電話、ＰＤＡ等の小型液晶ディスプレイの照明装置に関する。
【背景技術】
【０００２】
近来、蛍光表示管に比べ、寿命が長い、照明装置光の色度調整が容易等の利点があるため発光ダイオード（以下ＬＥＤと略記する）を光源とした照明装置が用いられ始めている。しかしＬＥＤは点光源であるため、従来多く用いられていた線光源である蛍光表示管に比べ、照明装置の光源近傍で輝度ムラが生じやすいという問題がある。
図８は発光ダイオードを用いたサイドライト型照明装置をバックライトとして用いた場合の従来例を示す図で、（ａ）が平面図、（ｂ）が側面図である。
図８における照明装置は、複数のＬＥＤ光源６０−１，２，３，４を略直方体の導光板６８の１つの側面に配置し、該ＬＥＤ光源６０−１，２，３，４の出射光が導光板６８に入射する。導光板６８にはマイクロプリズム、すなわちグルーブが形成され、該マイクロプリズムの頂点を結んだ稜線は図８（ａ）に点線群６１で示したように複数のＬＥＤ光源６０−１，２，３，４が配置された側面に平行とされていた。
なお以下の図において、同様の部材には同様の番号を付している。
断面構造は図８（ｂ）に示すように、導光板６８の下面に反射シート８０が、上面にプリズムシート７８が配置され、導光板６８、反射シート８０、プリズムシート７８がホルダー７６に収納され、上部に置かれる液晶表示装置等の受光型表示装置を照明する構造となっていた。
【０００３】
ＬＥＤ光源６０−１，２，３，４から入射された光は導光板６８内で導光板６８上面と導光板６８下面に設けられたマイクロプリズムの面とで屈折を繰り返して伝播される。該伝播を繰り返すうちに、光の進行方向と導光板６８上面とがなす角度が臨界角よりも小さくなり、導光板６８上面から光が出射する。導光板６８下面に出射されてしまった光は反射シート８０で反射されて導光板６８に戻される。導光板６８から出射した光は、プリズムシート７８によってさらに導光板６８上面と垂直な方向に屈曲されて図示していない受光型表示装置へと導かれ、表示装置を照明する。  
【０００４】
図９は該照明装置のホルダー７６を除く断面を拡大して示した図で、導光板６８の下面にマイクロプリズム６４が形成され、プリズムシート７８のプリズム面も下面側に設定されている。
マイクロプリズム６４のプリズム部の長辺６８−Ｌは図示のようにＬＥＤ光源６０側に短辺６８−ＳはＬＥＤ光源６０の反対側に配置され、導光板全体にわたってプリズム部の長辺６８−ＬがＬＥＤ光源６０が置かれた辺の側に配置される状態が維持されていた。
すなわちマイクロプリズムの長辺が常に導光板の一方の側面側に面するよう配置されていた。
【０００５】
図１０は点光源を用いた場合の問題点を示した図で、図８（ａ）と同様の照明装置の平面図である。図１０（ａ）はＬＥＤ光源を導光板の短辺側に配置した場合、図１０（ｂ）は長辺側に配置した場合を示している。
図１０（ａ）において、ホルダー７６の内部に導光板６８が納められ、導光板６８の短辺の片側にＬＥＤ光源６０−１，２，３，４が導光板６８に近接して配置されている。
ＬＥＤ光源６０−１，２，３，４には指向性があるため、導光板６８に入射される光は斜線を施した領域６２となる。すなわち領域６４にはＬＥＤ光源６０−１，２，３，４の光がほとんど行き渡らず、暗くなってしまい輝度ムラを生じてしまう。
【０００６】
図１０（ｂ）においては、導光板６８の長辺の片側にＬＥＤ光源６０−１，２，３，４が導光板６８に近接して配置されている。
図１０（ａ）の場合と同様、ＬＥＤ光源６０−１，２，３，４には指向性があるため、導光板６８に入射される光は斜線を施した領域６６となる。すなわち領域６９にはＬＥＤ光源６０−１，２，３，４の光がほとんど行き渡らず、暗くなってしまい輝度ムラを生じてしまう。このような輝度ムラは、導光板上の輝度を上昇させるためＬＥＤ光源を導光板の長辺側に配置すると、より目立ってしまうという問題があった。
【０００７】
このような輝度ムラは、点光源が１個のみの場合でも避けるのが容易ではなく、特許文献１の「従来の技術」の項には、点光源を導光板からはなして配置する必要があったため無断スペースが必要だった旨が記載されている（特許文献１、図６、−０００７，０００８−参照）
また、このような状態を避けるため、点光源を連続的に並べて線光源とすると非常に多くのＬＥＤを必要とし、スペース、コスト、消費電力の面から現実的ではなかった。
特に携帯電話、ＰＤＡ等の小型液晶ディスプレイの照明装置に関しては上記３要素が重要であり、輝度ムラの解消は大きな課題となっていた。  
【０００８】
このような輝度ムラを解消するため、点光源である発光ダイオードを略矩形形状をした導光板の一辺に近接して配置し、該導光板の裏面である出射面の逆側の面に反射層を設け、さらに前記点光源の配置された辺の近傍には該反射層の上部に光散乱領域を設けて、前記点光源近傍に発生する輝度ムラを軽減するという提案もある（例えば未公開特許文献１参照）。
【０００９】
しかしこのような方式を採用しても、前記光散乱層の境界部における輝度ムラの解消等設計上困難な問題が山積していた。
【特許文献１】特開２００１−１４３５１２
【特許文献２】特願２００４−１３６７５４
【発明の開示】
【発明が解決しようとする課題】
【００１０】
解決しようとする課題は点光源を用いて、小型で輝度ムラのない照明装置を実現することである。
【課題を解決するための手段】
【００１１】
本発明の照明装置は、略直方体形状の導光板の相対する２側面に点光源を配置し、かつ導光板には各々の側面から導光板に入射した光の進行方向を変化させるグルーブを設けていることを特徴とする。
【００１２】
また本発明の照明装置は、前記導光板の上面が略長方形であり、前記点光源を該導光板の長辺側に配置したことを特徴とする。
【００１３】
また本発明の照明装置は、前記点光源が発光ダイオードであることを特徴とする。
【００１４】
また本発明の照明装置は、前記点光源を前記導光板の２側面に計Ｎ個配置し、前記導光板を該２側面に垂直な線で略Ｎ等分し、前記点光源を該等分された領域の前記辺の略中心位置に配置したことを特徴とする。
【００１５】
また本発明の照明装置は、前記点光源を前記２側面の前記略中心位置に交互に配置したことを特徴とする。
【００１６】
また本発明の照明装置は、前記グルーブがマイクロプリズムであり、該マイクロプリズムの前記点光源に面する長辺を前記２側面に設けられた点光源側にそれぞれ配置したことを特徴とする。
【００１７】
また本発明の照明装置は、前記点光源側に配置されたマイクロプリズムの長辺同士は前記導光板の略中央で接していることを特徴とする。
【００１８】
また本発明の照明装置は、前記照明装置はバックライト方式となっていることを特徴とする。
【発明の効果】
【００１９】
本発明によれば点光源を導光板に近接させて配置しても、片方の側面に配置したＬＥＤの間の光量が極端に少ない領域をもう片方の側面に配置したＬＥＤからの光量で補うことが出来るため、小型で輝度ムラのない照明装置を実現出来る。
【発明を実施するための最良の形態】
【００２０】
略直方体形状の導光板の相対する２側面に点光源を配置し、かつ導光板には各々の側面から導光板に入射した光の進行方向を変化させるグルーブを設けた。
また、前記グルーブはマイクロプリズムであり、該マイクロプリズムの前記点光源に面する長辺を前記２側面に設けられた点光源側にそれぞれ配置した。
さらに、前記点光源側に配置されたマイクロプリズムの長辺同士を前記導光板の略中央部で接するように構成した。
【実施例１】
【００２１】
図１は本発明による照明装置の第１の実施例である。
図１は発光ダイオードを点光源として用いたサイドライト型照明装置をバックライトとした場合の例を示す図で、（ａ）が平面図、（ｂ）がＡ−Ａ’断面図である。
図１における照明装置は、複数のＬＥＤ光源１２，１４，１６，１８を略直方体で上面が略長方形のの導光板１０の長辺側の２辺に図示のように配置している。該ＬＥＤ光源１２，１４，１６，１８の出射光が導光板６８に入射する。導光板１０には入射した光の進行方向を変化させるマイクロプリズム、すなわちグルーブが形成され、該マイクロプリズムの頂点を結んだ稜線は図１（ａ）に点線群２０で示したように複数のＬＥＤ光源１２，１４，１６，１８が配置された側面に平行とされている。
断面構造は図１（ｂ）に示すように、導光板１０の下面に反射シート８０が、上面にプリズムシート７８が配置され、導光板６８、反射シート８０、プリズムシート７８がホルダー７６に収納され、上部に置かれる液晶表示装置等の受光型表示装置を照明するバックライト構造となっている。
【００２２】
ＬＥＤ光源１２，１４，１６，１８から入射された光は導光板１０内で、導光板１０上面と導光板１０下面に設けられたマイクロプリズムの面とで屈折を繰り返して伝播される。該伝播を繰り返すうちに、光の進行方向と導光板１０上面とがなす角度が臨界角よりも小さくなり、導光板１０上面から光が出射する。導光板１０下面に出射されてしまった光は反射シート８０で反射されて導光板１０に戻される。導光板１０から出射した光は、プリズムシート７８によってさらに導光板１０上面と垂直な方向に屈曲されて図示していない受光型表示装置へと導かれ、表示装置を照明する。
【００２３】
本発明による照明装置は図１に示すようにＬＥＤ光源１２，１４，１６，１８を導光板の相対する側面にそれぞれ配置したため、片方の側面に配置したＬＥＤの間の光量が極端に少ない領域を、もう片方の側面に配置したＬＥＤからの光量で補うことが出来、導光板上での輝度ムラを抑制することが可能となっており、照明装置の照明品位の改善に顕著な効果がある。
【００２４】
図２は本発明による照明装置での点光源の配置法を説明する図で、図２（ａ）はＬＥＤ光源を導光板１０の長辺側に偶数である計４個配置する場合、図２（ｂ）は奇数である計５個配置する場合を示している。
図２（ａ）において、２個のＬＥＤ光源１２，１４は略長方形の導光板１０の上辺の長辺近傍に配置され、別の２個のＬＥＤ光源１６，１８は略長方形の導光板１０の下辺の長辺近傍に配置されている。
また導光板１０のＬＥＤ光源１２，１４，１６，１８が配置された長辺方向を、該長辺方向に垂直な線群５６でＬＥＤ光源の数である４で等分して領域４８，５０，５２，５４に分割し、該領域４８，５０，５２，５４の長辺の略中心にＬＥＤ光源を配置している。
【００２５】
また配置にあたっては、ＬＥＤ光源１２は領域４８の上辺の略中心に、ＬＥＤ光源１６は領域５０の下辺の略中心に、ＬＥＤ光源１４は領域５２の上辺の略中心に、ＬＥＤ光源１８は領域５４の下辺の略中心に、というようにＬＥＤ光源を２側面の分割された領域の略中心位置に交互に配置した。
したがって、導光板１０の長辺方向の長さをＬとしたとき、ＬＥＤ光源１２は導光板１０の右辺から（７／８）ｘＬの位置の上辺に、ＬＥＤ光源１４は導光板１０の右辺から（３／８）ｘＬの位置の上辺に、ＬＥＤ光源１６は導光板１０の右辺から（５／８）ｘＬの位置の下辺に、ＬＥＤ光源１８は導光板１０の右辺から（１／８）ｘＬの位置の下辺にそれぞれ配置されている。
【００２６】
図２（ｂ）においては、２個のＬＥＤ光源３０，３２は略長方形の導光板１０の上辺の長辺近傍に配置され、別の３個のＬＥＤ光源３４，３６，３８は略長方形の導光板１０の下辺の長辺近傍に配置されている。
また導光板１０のＬＥＤ光源３０，３２，３４，３６，３８が配置された長辺方向を、該長辺方向に垂直な線群５８でＬＥＤ光源の数である５で等分して領域８０，８２，８４，８６，８８に分割し、該領域８０，８２，８４，８６，８８の長辺の略中心にＬＥＤ光源を配置している。
【００２７】
また配置にあたっては、ＬＥＤ光源３４は領域８０の下辺の略中心に、ＬＥＤ光源３０は領域８２の上辺の略中心に、ＬＥＤ光源３６は領域８４の下辺の略中心に、ＬＥＤ光源３２は領域８６の上辺の略中心に、ＬＥＤ光源３８は領域８８の下辺の略中心に、というようにＬＥＤ光源を２側面の分割された領域の略中心位置に交互に配置した。
したがって、導光板１０の長辺方向の長さをＬとしたとき、ＬＥＤ光源３０は導光板１０の右辺から（７／１０）ｘＬの位置の上辺に、ＬＥＤ光源３２は導光板１０の右辺から（３／１０）ｘＬの位置の上辺に、ＬＥＤ光源３４は導光板１０の右辺から（９／１０）ｘＬの位置の下辺に、ＬＥＤ光源３６は導光板１０の右辺から（５／１０）ｘＬの位置の下辺に、ＬＥＤ光源３８は導光板１０の右辺から（１／１０）ｘＬの位置の下辺にそれぞれ配置されている。
【００２８】
このようにＬＥＤ光源を導光板の長辺方向に配置すると、導光板中で光が伝搬される距離が短くなるため、光の横方向への拡散を小さくすることが出来、照明装置の出射光の指向性を上昇させることが出来る。
また、図５、６で後述するが、ＬＥＤ光源を導光板の相対する側面にそれぞれ交互に配置することで、片方の側面に配置したＬＥＤ光源の間の光量が極端に少ない領域を、もう片方の側面に配置したＬＥＤからの光量で補うことが出来ており、さらにＬＥＤ光源の間の光量が極端に少ない領域を小さくすることも可能としている。
【００２９】
図３は本発明による照明装置のグルーブであるマイクロプリズムの形状を説明する図で、図３（ａ）は図１（ｂ）の照明装置の断面をホルダー７６を除いて拡大して示した図で図３（ｂ）は図３（ａ）の導光板の部分拡大図である。
図３（ａ）において、導光板１０の下面にはマイクロプリズム１７が形成され、プリズムシート７８のプリズム面も下面側に設定されている。
図３（ｂ）でマイクロプリズムの角度の説明を行う。図３（ｂ）は図３（ａ）に示した導光板１０の左方の拡大図であるが、導光板１０の上面に平行な線１９に対してマイクロプリズム１７の左方側に面した面１３がなす角をα、右方側に面した面１５がなす角をβと決めている。どちらがαでどちらがβかは便宜的に決めたもので、一方の辺に置かれた点光源の光を受ける面の角度がα、他方の辺に置かれた点光源の光を受ける面の角度がβである。したがって面１３は図１（ａ）に示したＬＥＤ光源１２，１４の光を受ける面であり、面１５は図１（ａ）に示したＬＥＤ光源１６，１８の光を受ける面である。  
マイクロプリズムを設けた導光板においてはマイクロプリズムの角度α、β、ピッチｐ、高さｈを導光板内の位置によって設定することにより出射光の一様化を計っている。
【００３０】
本発明の照明装置におけるマイクロプリズムの角度αとβの関係を示したグラフが図４である。
図４において、横軸は導光板中の点光源からの位置を示しており、点光源の配置された辺間の距離をＬとしたときの位置をＬを用いて表している。Ｃの点が点光源間の略中央である。上記した定義によれば０．０Ｌの点が「一方の辺」の位置であり、１．０Ｌの点が「他方の辺」の位置である。縦軸は導光板１０の上面に平行な線に対してマイクロプリズム面がなす角を示しており、太い実線がα、太い点線がβである。
図４に示したように、αは点光源のおかれた辺、０．０Ｌ，近傍で小さく、点光源から遠ざかるにつれ大きくなって、反射する光のうちより多くを導光板１０上面から出射するようになっている。同様にβも点光源のおかれた辺、１．０Ｌ，近傍で小さく、点光源から遠ざかるにつれ大きくなって、反射する光のうちより多くを導光板１０上面から出射するようになっている。導光板１０の略中心Ｃの点ではαとβは等しい角度となっている。したがって、導光板中１０中の０．０Ｌから中心点Ｃの間では図３（ｂ）に示した面１３が長辺で面１５が短辺、中心点Ｃから１．０Ｌの間では図３（ｂ）に示した面１５がマイクロプリズムの長辺で面１３が短辺となり、中心点近傍では長辺と短辺はほぼ等しい長さとなっている。
【００３１】
図３に戻って、図３（ａ）は左方が図１（ａ）の上方、右方が図１（ａ）の下方に相当するが、図３（ａ）の左方ではＬＥＤ光源１２，１４の光を受ける面である辺１３が長辺となっていてＬＥＤ光源１２，１４側に配置されており、右方ではＬＥＤ光源１６，１８の光を受ける面である辺１５が長辺となっていてＬＥＤ光源１６，１８側に配置されている。
また図３（ａ）の略中央部分では左方の長辺１３と右方の長辺１５とが接している。
【００３２】
このようにマイクロプリズムを構成したことにより、点光源であるＬＥＤ光源を導光板の相対する２辺に配置しても、導光板全体での輝度を一様にすることが出来た。また導光板の中央に線が発生してしまう状態も避けることが出来た。
なお、マイクロプリズムの最凹部９と最凸部９２とがマイクロプリズムの稜線で、該最凹部３８と最凸部３６とは近接しているため、図１（ａ）の線群２０では１本の点線で該稜線を描いている。
【００３３】
図５は図２（ａ）に示したように配置されたＬＥＤ光源の出射光の軌跡を示した図で、図５（ａ）は導光板１０の上辺に配置したＬＥＤ光源１２，１４の出射光の軌跡を示した図、図５（ｂ）は下辺に配置したＬＥＤ光源１６，１８の出射光の軌跡を示した図、図５（ｃ）は図５（ａ）と（ｂ）に示した出射光の軌跡を重ね合わせた図である。
図５（ａ）に示すように、導光板１０の上辺に配置したＬＥＤ光源１２，１４の出射光
は斜線を施した領域２２に進んで導光板１０の上面から照明光として出射される。この時導光板１０上で斜線が施されていない部分２３にはほとんどＬＥＤ光源１２，１４の出射光が行きわたらない。
また図５（ｂ）に示すように、導光板１０の下辺に配置したＬＥＤ光源１６，１８の出射光は斜線を施した領域２４に進んで導光板１０の上面から照明光として出射される。この時導光板１０上で斜線が施されていない部分２５にはほとんどＬＥＤ光源１６，１８の出射光が行きわたらない。
【００３４】
しかし図５（ｃ）に示すように、導光板１０の上辺に配置したＬＥＤ光源１２，１４の出射光の軌跡と下辺に配置したＬＥＤ光源１６，１８の出射光の軌跡とを重ね合わせると、上辺に配置したＬＥＤ光源１２，１４の出射光が行きわたらない領域２３には下辺に配置したＬＥＤ光源１６，１８の出射光が到達しており、下辺に配置したＬＥＤ光源１６，１８の出射光が行きわたらない領域２５には上辺に配置したＬＥＤ光源１２，１４の出射光が到達している。
したがって図１０（ａ）の６４の領域、図１０（ｂ）の６９の領域で示したようなＬＥＤ光源の光がほとんど行き渡らず暗くなってしまう領域の発生を防ぐことが出来る。
【００３５】
なお、図５（ｃ）には上辺に配置したＬＥＤ光源１２，１４の出射光の軌跡と下辺に配置したＬＥＤ光源１６，１８の出射光の軌跡とが重なる、斜線が交差した、領域２６が存在し、この部分のみ他の部分よりも明るくなってしまう可能性があるが、領域２６でのマイクロプリズムの高さ、角度、ピッチ等のパターンを調節することで明るさの調節をすることが可能である。
【００３６】
このように本発明の照明装置では点光源を導光板の相対する側面にそれぞれ配置することで、点光源を導光板に近接して配置しても、片方の側面に配置したＬＥＤの間の光量が極端に少ない領域を、もう片方の側面に配置したＬＥＤからの光量で補うことが出来、輝度ムラの発生を押さえることが出来る。
すなわち小型な照明装置の照明品位の改善が可能となる。
【００３７】
図６は図２（ｂ）に示したように配置されたＬＥＤ光源の出射光の軌跡を示した図で、図６（ａ）は導光板４０の上辺に配置したＬＥＤ光源３０，３２の出射光の軌跡を示した図、図６（ｂ）は下辺に配置したＬＥＤ光源３４，３６，３８の出射光の軌跡を示した図、図６（ｃ）は図６（ａ）と（ｂ）に示した出射光の軌跡を重ね合わせた図である。
図５では偶数である４個のＬＥＤ光源が配置された例を示したが、図６では奇数である５個のＬＥＤ光源が配置された例を示している。
図６（ａ）に示すように、導光板４０の上辺に配置したＬＥＤ光源３０，３２の出射光
は斜線を施した領域４２に進んで導光板４０の上面から照明光として出射される。この時導光板１０上で斜線が施されていない部分４３にはほとんどＬＥＤ光源３０，３２の出射光が行きわたらない。
また図６（ｂ）に示すように、導光板４０の下辺に配置したＬＥＤ光源３４，３６，３８の出射光は斜線を施した領域４４に進んで導光板１０の上面から照明光として出射される。この時導光板４０上で斜線が施されていない部分４５にはほとんどＬＥＤ光源３４，３６，３８の出射光が行きわたらない。
【００３８】
しかし図６（ｃ）に示すように、導光板４０の上辺に配置したＬＥＤ光源３０，３２の出射光の軌跡と下辺に配置したＬＥＤ光源３４，３６，３８の出射光の軌跡とを重ね合わせると、上辺に配置したＬＥＤ光源３０，３２の出射光が行きわたらない領域４３には下辺に配置したＬＥＤ光源３４，３６，３８の出射光が到達しており、下辺に配置したＬＥＤ光源３４，３６，３８の出射光が行きわたらない領域４５には上辺に配置したＬＥＤ光源３０，３２の出射光が到達している。
したがって図１０（ａ）の６４の領域、図１０（ｂ）の６９の領域で示したようなＬＥＤ光源の光がほとんど行き渡らず暗くなってしまう領域の発生を防ぐことが出来る。
【実施例２】
【００３９】
図７は点光源を導光板の短辺に配置した場合の出射光の軌跡を示した図で、 図７（ａ）は偶数である４個のＬＥＤ光源が配置された例、（ｂ）では奇数である５個のＬＥＤ光源を配置した例を示している。
図７（ａ）において、導光板９２の左辺に配置したＬＥＤ光源９８，１００の出射光と導光板９２の右辺に配置したＬＥＤ光源９４，９６の出射光との双方が到達する領域１１４、左辺に配置したＬＥＤ光源９８，１００の出射光は行きわたらないが右辺に配置したＬＥＤ光源９４，９６の出射光が到達する領域１１２，右辺に配置したＬＥＤ光源９４，９６の出射光は行きわたらないが左辺に配置したＬＥＤ光源９８，１００出射光が到達する領域１１０が存在し、輝度ムラを防ぐことが出来ることは図５、６の場合と同様である。
【００４０】
図７（ｂ）において、導光板１１４の左辺に配置したＬＥＤ光源１２２，１２４の出射光と導光板１１４の右辺に配置したＬＥＤ光源１１６，１１８，１２０の出射光との双方が到達する領域１４０、左辺に配置したＬＥＤ光源１２２，１２４の出射光は行きわたらないが右辺に配置したＬＥＤ光源１１６，１１８，１２０の出射光が到達する領域１３８，右辺に配置したＬＥＤ光源１１６，１１８，１２０の出射光は行きわたらないが左辺に配置したＬＥＤ光源１２２，１２４出射光が到達する領域１３６が存在し、輝度ムラを防ぐことが出来ることは図５、６の場合と同様である。
【００４１】
このように導光板の短辺にＬＥＤ光源を配置した場合、短辺方向をＬＥＤ光源の数で等分し、該等分した領域の辺の略中心にＬＥＤ光源を２つの短辺に交互に配置することは、長辺側にＬＥＤ光源を配置した場合と同様である。。
また、グルーブの稜線は短辺に平行とする。
このようにＬＥＤ光源を導光板の短辺に配置しても長辺に配置した場合と近い効果が得られる。
【００４２】
なお、本明細書においては本発明の照明装置をバックライトとして用いる構造例を示したが、フロントライト構造とすることも通常の技術で容易に実現出来る。
【図面の簡単な説明】
【００４３】
【図１】本発明による照明装置の第１の実施例である。
【図２】本発明による照明装置での点光源の配置法を説明する図である。
【図３】本発明による照明装置のグルーブであるマイクロプリズムの形状を説明する図である。
【図４】本発明による照明装置で用いるマイクロプリズムの角度を説明するグラフである。
【図５】偶数個の点光源を導光板の長辺に配置した場合の、出射光の軌跡を示した図である。
【図６】奇数個の点光源を導光板の長辺に配置した場合の、出射光の軌跡を示した図である。
【図７】点光源を導光板の短辺に配置した場合の、出射光の軌跡を示した図である。
【図８】発光ダイオードを用いたサイドライト型照明装置をバックライトとして用いた場合の従来例を示す図である。
【図９】従来の照明装置の断面を拡大して示した図である。
【図１０】点光源を用いた照明装置のの問題点を示した図である。
【符号の説明】
【００４４】
１０，４０，９２，１１４  導光板
１２，１４，１６，１８，３０，３２，３４，３６，３８，９４，９６，９８，１００，１１６，１１８，１２０，１２２，１２４  点光源、発光ダイオード
５６，５８  点光源を配置した２側面に垂直な線  
１１  グルーブ、マイクロプリズム
Ｃ  導光板の略中央
２０  マイクロプリズムの稜線
【図１】
2007042403.tif 000003
【図２】
2007042403.tif 000004
【図３】
2007042403.tif 000005
【図４】
2007042403.tif 000006
【図５】
2007042403.tif 000007
【図６】
2007042403.tif 000008
【図７】
2007042403.tif 000009
【図８】
2007042403.tif 000010
【図９】
2007042403.tif 000011
【図１０】
2007042403.tif 000012